(57)【特許請求の範囲】
【請求項１】
正面視で、本体を含み、
前記本体の中には塗りチャンバが設けられ、前記塗りチャンバの前側には置き口が外部と連通するように設けられ、前記置き口の中には閉鎖回転軸が回転できるように設けられ、前記閉鎖回転軸には閉鎖ドア板が固定的に設けられ、前記閉鎖ドア板は前記塗りチャンバを閉鎖でき、
前記塗りチャンバの上側には引っ張りチャンバが連通するように設けられ、前記引っ張りチャンバの中には昇降装置がスライドできるように設けられ、前記塗りチャンバの中には左右対称の挟み装置が設けられ、前記挟み装置が前記昇降装置と回転できるように連結され、金属部品を前記挟み装置の間に置き、昇降装置の上昇により金属部品を前記挟み装置の間にきつく挟むことができ、
前記塗りチャンバの左右側には連通チャンバが対称的に設けられ、前記連通チャンバの中には回転親ねじが回転できるように設けられ、前記回転親ねじの下端が前記昇降装置と伝動できるように連結され、前記回転親ねじには移動ブロックがねじ山によって連結され、前記移動ブロックの中には挟みロック装置が設けられ、前記連通チャンバのうち前記塗りチャンバから離れた端壁にはラックが固定的に設けられ、前記ラックが前記挟みロック装置と噛合しているため、前記移動ブロックが昇降することにより前記挟みロック装置を回転連動させ、前記挟み装置に前記挟み装置にある金属部品を回転連動させることができ、前記塗りチャンバの下側には吹き付け装置が設けられ、前記吹き付け装置の後側には吹き付け調節装置が設けられ、金属部品が降下し回転し、前記吹き付け装置により保護剤を金属部品の表面に塗り、
前記昇降装置はスライドブロックを含み、
前記スライドブロックの中にはスライドチャンバが設けられ、前記スライドチャンバの中には引っ張りブロックがスライドできるように設けられ、前記引っ張りブロックの前後端には前記引っ張りブロックを復帰させることができる復帰部品が固定的に設けられ、前記引っ張りブロックの下端面には左右対称の回転ロッドが回転できるように設けられ、前記回転ロッドのもう一端が前記挟み装置とヒンジによって連結され、前記引っ張りブロックの上端面の中には押し引き溝が設けられ、前記引っ張りチャンバと前記塗りチャンバの後側には昇降チャンバが連通するように設けられ、前記昇降チャンバの中には昇降親ねじが回転できるように設けられ、前記昇降親ねじにはネジ山ブロックがねじ山によって連結され、前記ネジ山ブロックの前端が前記スライドブロックと固定的に連結され、
前記昇降チャンバの下側には伝動チャンバが連通するように設けられ、前記伝動チャンバの下端壁には回転モーターが取り付けられ、前記昇降親ねじの下端が前記回転モーターに伝動できるように連結され、前記伝動チャンバと前記連通チャンバとが連通しており、左右の前記回転親ねじの下端と前記伝動チャンバの下端壁とが回転できるように連結され、前記伝動チャンバの中にある前記昇降親ねじと前記回転親ねじとにはいずれもプーリーが固定的に設けられ、前記伝動チャンバのうち前記プーリーの前側に位置するところにはテンションプーリーが回転できるように設けられ、前記テンションプーリーと前記プーリーとが伝動ベルトにより伝動できるように連結され、
前記挟み装置は環状ブロックを含み、
前記環状ブロックの上端が前記回転ロッドとヒンジによって連結され、前記環状ブロックの中には挟み回転ブロックが回転できるように設けられ、前記挟み回転ブロックの中には伸縮チャンバが設けられ、前記伸縮チャンバの中には挟み板がスライドできるように設けられ、前記挟み板と前記伸縮チャンバとの間には伸縮バネが固定的に設けられ、前記挟み板のうち前記伸縮バネから離れた一端には滑り止めマットが固定的に設けられ、
前記挟みロック装置は移動チャンバを含み、
前記移動チャンバの中には移動ロックブロックがスライドできるように設けられ、前記移動ロックブロックの中にはスプラインスリーブが回転できるように設けられ、前記スプラインスリーブのうち前記塗りチャンバに近接した一端が前記環状ブロックと固定的に連結され、前記スプラインスリーブの中にはスプライン軸がスプラインにより連結され、前記移動チャンバのうち前記塗りチャンバから離れた側には噛合チャンバが連通するように設けられ、前記スプライン軸のうち対称中心から離れた一端が前記噛合チャンバの中に伸びており、且つ前記スプライン軸のうち対称中心から離れた一端には第一傘歯車が固定的に設けられ、前記第一傘歯車の後端には第二傘歯車が噛合するように連結され、前記第二傘歯車の後端面には噛合歯車が固定的に設けられ、前記噛合歯車と前記ラックとが噛合するように連結され、
前記移動チャンバの後側にはガイドスライド溝が連通するように設けられ、前記ガイドスライド溝の中には前記移動ロックブロックの後端面と固定的に連結された固定ロッドがスライドできるように設けられ、前記固定ロッドの後端が前記連通チャンバの中に伸びており、前記移動チャンバの上側には二つのロック回転溝が設けられ、前記ロック回転溝の中には回転ロックブロックが設けられ、前記回転ロックブロックの上端と前記ロック回転溝との間にはトーションバネが固定的に設けられ、
前記ロック回転溝の上側には動力提供装置が設けられ、前記動力提供装置と前記回転ロックブロックとが連結され、前記動力提供装置は前記回転ロックブロックの回転をコントロールでき、
前記移動ロックブロックの上端面が歯形構成であり、かつ前記歯形構成が前記回転ロックブロックと係合しているため、前記移動ロックブロックが前記塗りチャンバの方向へ移動でき、前記回転ロックブロックにより前記移動ロックブロックは逆方向へ移動することができなく、前記挟み装置の挟み安定性を高め、
前記動力提供装置は前記移動ブロックにある左右対称のリールチャンバを含み、
前記リールチャンバの中にはリールが回転できるように設けられ、前記リールのうち互いに近接した側には方向変換チャンバが連通するように設けられ、前記方向変換チャンバの中には方向変換輪が回転できるように設けられ、前記方向変換輪の間には巻きチャンバが設けられ、前記巻きチャンバの中には巻き回転軸が回転可能に設けられ、前記巻き回転軸には巻き輪が固定的に設けられ、前記巻き輪には二本の巻き糸が固定的に巻き付いており、前記巻き糸がそれぞれ前後側の前記方向変換輪と前記リールとを経由した後に、前記ロック回転溝の中に伸びており、かつ前記巻き糸が前記回転ロックブロックと固定的に連結され、
前記連通チャンバの上側にはベルトチャンバが連通するように設けられ、前記ベルトチャンバの中にはベルト回転軸が回転できるように設けられ、前記ベルト回転軸の下端が前記巻き回転軸とスプラインにより連結され、左側の前記ベルトチャンバの上端壁には動力モーターが固定的に設けられ、左側の前記ベルト回転軸の上端が前記動力モーターに伝動できるように連結され、前記ベルト回転軸の前側には回転輪が設けられ、前記回転輪と前記ベルト回転軸とが連結ベルトにより伝動できるように連結され、前記回転輪の下端面には第三傘歯車が固定的に設けられ、前記第三傘歯車のうち前記塗りチャンバに近接した一端には第四傘歯車が噛合するように連結され、左右側の前記第四傘歯車が連結軸により固定的に連結され、
前記吹き付け装置は左右対称の押し溝を含み、
前記押し溝の前側には三つの流通溝が設けられ、前記押し溝と前記流通溝との間にはそれぞれ密封スライド溝が連通するように設けられ、前記密封スライド溝の中には密封スライドブロックがスライドできるように設けられ、前記密封スライドブロックの後端と前記密封スライド溝との間には圧力バネが固定的に設けられ、前記密封スライドブロックの中には当接溝が設けられ、前記流通溝の上側と前記塗りチャンバとが連通しており、前記流通溝の上端壁にはいずれも噴霧ノズルが固定的に設けられ、
六つの前記流通溝の下側の間にはガイド穴が連通するように設けられ、前記ガイド穴の右端には液体貯蔵チャンバが連通するように設けられ、前記液体貯蔵チャンバの中には金属の表面を塗るために使う保護剤が貯蔵されており、前記保護剤は噴霧ノズルにより前記塗りチャンバに塗られて金属の表面に付着することができることを特徴とする金属部品表面保護用塗り装置。
【請求項２】
前記吹き付け調節装置は左右対称の回転チャンバを含み、
前記回転チャンバの中には連結ロッドが回転できるように設けられ、前記連結ロッドの前端には押しブロックが回転できるように連結され、前記押しブロックのうち対称中心に近接した一端が前記押し溝の中に伸びており、前記押しブロックは前記当接溝と当接でき、前記回転チャンバの後側には調節スライド溝が連通するように設けられ、前記調節スライド溝の中には調節スライドブロックがスライドできるように設けられ、前記調節スライドブロックのうち対称中心から離れた一端面には牽引紐が固定的に設けられ、前記牽引紐の外部には復帰バネがカバーするように設けられ、前記調節スライドブロックの上端には調節スライドロッドが当接するように設けられ、前記調節スライドロッドが前記固定ロッドの前記塗りチャンバに近接した側に位置し、
前記調節スライド溝のうち対称中心から離れた一端壁の中には牽引チャンバが連通するように設けられ、前記牽引チャンバの中には牽引輪が回転できるように設けられ、前記牽引紐のもう一端が前記牽引輪を経由した後に前記調節スライドロッドと固定的に連結されていることを特徴とする請求項１に記載の金属部品表面保護用塗り装置。
【発明の詳細な説明】
【技術分野】
【０００１】
本発明は金属表面処理技術分野を取り上げて、具体的には金属部品表面保護用塗り装置である。
【背景技術】
【０００２】
伝統的な金物類の金属部品は構造が小さくて不規則であるため、一般的に手動の補助器械を使って表面保護剤を塗る必要があり、塗る過程は時間がかかり、塗る頻度が低く、そして、保護剤を塗る過程において、塗り装置は金属部品のサイズに合わせて調整できなく、必要以上の面積を塗りかねなく、保護剤の浪費を招き、また、伝統的な金属部品の表面塗り作業は開放式であり、環境を汚染する問題や、作業員の健康問題を引き起こしやすく、本発明の装置は以上の問題を解決できる。
【先行技術文献】
【特許文献】
【０００３】
【特許文献１】中国特許出願公開第104379771号明細書
【発明の概要】
【発明が解決しようとする課題】
【０００４】
技術問題：伝統的な金物類の金属部品は構造が小さくて不規則であるため、一般的に手動の補助器械を使って表面保護剤を塗る必要があり、塗る過程は時間がかかり、塗る頻度が低く、そして、保護剤を塗る過程において、塗り装置は金属部品のサイズに合わせて調整できなく、保護剤の浪費を招く。
【課題を解決するための手段】
【０００５】
上記の課題を解決するため、本発明は以下の技術プランを採用する：本発明の金属部品表面保護用塗り装置は、本体を含み、前記本体の中には塗りチャンバが設けられ、前記塗りチャンバの前側には置き口が外部と連通するように設けられ、前記置き口の中には閉鎖回転軸が回転できるように設けられ、前記閉鎖回転軸には閉鎖ドア板が固定的に設けられ、前記閉鎖ドア板は前記塗りチャンバを閉鎖でき、前記塗りチャンバの上側には引っ張りチャンバが連通するように設けられ、前記引っ張りチャンバの中には昇降装置がスライドできるように設けられ、前記塗りチャンバの中には左右対称の挟み装置が設けられ、前記挟み装置が前記昇降装置と回転できるように連結され、金属部品を前記挟み装置の間に置き、昇降装置の上昇により金属部品を前記挟み装置の間にきつく挟むことができ、前記塗りチャンバの左右側には連通チャンバが対称的に設けられ、前記連通チャンバの中には回転親ねじが回転できるように設けられ、前記回転親ねじの下端が前記昇降装置と伝動できるように連結され、前記回転親ねじには移動ブロックがねじ山によって連結され、前記移動ブロックの中には挟みロック装置が設けられ、前記連通チャンバのうち前記塗りチャンバから離れた端壁にはラックが固定的に設けられ、前記ラックが前記挟みロック装置と噛合しているため、前記移動ブロックが昇降することにより前記挟みロック装置を回転連動させ、前記挟み装置に前記挟み装置にある金属部品を回転連動させることができ、前記塗りチャンバの下側には吹き付け装置が設けられ、前記吹き付け装置の後側には吹き付け調節装置が設けられ、金属部品が降下し回転し、前記吹き付け装置により保護剤を金属部品の表面に塗る。
【０００６】
優選の技術プランとして、前記昇降装置はスライドブロックを含み、前記スライドブロックの中にはスライドチャンバが設けられ、前記スライドチャンバの中には引っ張りブロックがスライドできるように設けられ、前記引っ張りブロックの前後端には前記引っ張りブロックを復帰させることができる復帰部品が固定的に設けられ、前記引っ張りブロックの下端面には左右対称の回転ロッドが回転できるように設けられ、前記回転ロッドのもう一端が前記挟み装置とヒンジによって連結され、前記引っ張りブロックの上端面の中には押し引き溝が設けられ、前記引っ張りチャンバと前記塗りチャンバの後側には昇降チャンバが連通するように設けられ、前記昇降チャンバの中には昇降親ねじが回転できるように設けられ、前記昇降親ねじにはネジ山ブロックがねじ山によって連結され、前記ネジ山ブロックの前端が前記スライドブロックと固定的に連結され、前記昇降チャンバの下側には伝動チャンバが連通するように設けられ、前記伝動チャンバの下端壁には回転モーターが取り付けられ、前記昇降親ねじの下端が前記回転モーターに伝動できるように連結され、前記伝動チャンバと前記連通チャンバとが連通しており、左右の前記回転親ねじの下端と前記伝動チャンバの下端壁とが回転できるように連結され、前記伝動チャンバの中にある前記昇降親ねじと前記回転親ねじとにはいずれもプーリーが固定的に設けられ、前記伝動チャンバのうち前記プーリーの前側に位置するところにはテンションプーリーが回転できるように設けられ、前記テンションプーリーと前記プーリーとが伝動ベルトにより伝動できるように連結され、
前記昇降装置が作動し前記引っ張りブロックを昇降連動させ、前記回転ロッドにより前記挟み装置が互いに向かって移動し、金属部品を前記挟み装置の間にきつく挟み、前記挟み装置が金属部品を昇降連動させる時、前記伝動ベルトにより前記移動ブロックを同期に昇降連動させ、これにより前記挟み装置に金属部品を回転連動させ、保護剤を塗ることに便利である。
【０００７】
優選の技術プランとして、前記挟み装置は環状ブロックを含み、前記環状ブロックの上端が前記回転ロッドとヒンジによって連結され、前記環状ブロックの中には挟み回転ブロックが回転できるように設けられ、前記挟み回転ブロックの中には伸縮チャンバが設けられ、前記伸縮チャンバの中には挟み板がスライドできるように設けられ、前記挟み板と前記伸縮チャンバとの間には伸縮バネが固定的に設けられ、前記挟み板のうち前記伸縮バネから離れた一端には滑り止めマットが固定的に設けられ、前記回転ロッドが上昇し前記塗りチャンバの上端壁に止められ、これにより前記環状ブロックが互いに向かって移動し金属部品をきつく挟む。
【０００８】
優選の技術プランとして、前記挟みロック装置は移動チャンバを含み、前記移動チャンバの中には移動ロックブロックがスライドできるように設けられ、前記移動ロックブロックの中にはスプラインスリーブが回転できるように設けられ、前記スプラインスリーブのうち前記塗りチャンバに近接した一端が前記環状ブロックと固定的に連結され、前記スプラインスリーブの中にはスプライン軸がスプラインにより連結され、前記移動チャンバのうち前記塗りチャンバから離れた側には噛合チャンバが連通するように設けられ、前記スプライン軸のうち対称中心から離れた一端が前記噛合チャンバの中に伸びており、且つ前記スプライン軸のうち対称中心から離れた一端には第一傘歯車が固定的に設けられ、前記第一傘歯車の後端には第二傘歯車が噛合するように連結され、前記第二傘歯車の後端面には噛合歯車が固定的に設けられ、前記噛合歯車と前記ラックとが噛合するように連結され、前記移動チャンバの後側にはガイドスライド溝が連通するように設けられ、前記ガイドスライド溝の中には前記移動ロックブロックの後端面と固定的に連結された固定ロッドがスライドできるように設けられ、前記固定ロッドの後端が前記連通チャンバの中に伸びており、前記移動チャンバの上側には二つのロック回転溝が設けられ、前記ロック回転溝の中には回転ロックブロックが設けられ、前記回転ロックブロックの上端と前記ロック回転溝との間にはトーションバネが固定的に設けられ、前記ロック回転溝の上側には動力提供装置が設けられ、前記動力提供装置と前記回転ロックブロックとが連結され、前記動力提供装置は前記回転ロックブロックの回転をコントロールできる。
【０００９】
優選の技術プランとして、前記移動ロックブロックの上端面が歯形構成であり、かつ前記歯形構成が前記回転ロックブロックと係合しているため、前記移動ロックブロックが前記塗りチャンバの方向へ移動でき、前記回転ロックブロックにより前記移動ロックブロックは逆方向へ移動することができなく、前記挟み装置の挟み安定性を高める。
【００１０】
優選の技術プランとして、前記動力提供装置は前記移動ブロックにある左右対称のリールチャンバを含み、前記リールチャンバの中にはリールが回転できるように設けられ、前記リールのうち互いに近接した側には方向変換チャンバが連通するように設けられ、前記方向変換チャンバの中には方向変換輪が回転できるように設けられ、前記方向変換輪の間には巻きチャンバが設けられ、前記巻きチャンバの中には巻き回転軸が回転可能に設けられ、前記巻き回転軸には巻き輪が固定的に設けられ、前記巻き輪には二本の巻き糸が固定的に巻き付いており、前記巻き糸がそれぞれ前後側の前記方向変換輪と前記リールとを経由した後に、前記ロック回転溝の中に伸びており、かつ前記巻き糸が前記回転ロックブロックと固定的に連結され、前記連通チャンバの上側にはベルトチャンバが連通するように設けられ、前記ベルトチャンバの中にはベルト回転軸が回転できるように設けられ、前記ベルト回転軸の下端が前記巻き回転軸とスプラインにより連結され、左側の前記ベルトチャンバの上端壁には動力モーターが固定的に設けられ、左側の前記ベルト回転軸の上端が前記動力モーターに伝動できるように連結され、前記ベルト回転軸の前側には回転輪が設けられ、前記回転輪と前記ベルト回転軸とが連結ベルトにより伝動できるように連結され、
前記回転輪の下端面には第三傘歯車が固定的に設けられ、前記第三傘歯車のうち前記塗りチャンバに近接した一端には第四傘歯車が噛合するように連結され、左右側の前記第四傘歯車が連結軸により固定的に連結され、
前記動力モーターが作動し左右側の前記巻き輪を回転連動させることができ、前記巻き糸により前記回転ロックブロックを前記ロック回転溝の中に回転させ、この時、前記移動ロックブロックが自在に移動し、前記挟み装置へのロックを解除できる。
【００１１】
優選の技術プランとして、前記吹き付け装置は左右対称の押し溝を含み、前記押し溝の前側には三つの流通溝が設けられ、前記押し溝と前記流通溝との間にはそれぞれ密封スライド溝が連通するように設けられ、前記密封スライド溝の中には密封スライドブロックがスライドできるように設けられ、前記密封スライドブロックの後端と前記密封スライド溝との間には圧力バネが固定的に設けられ、前記密封スライドブロックの中には当接溝が設けられ、前記流通溝の上側と前記塗りチャンバとが連通しており、前記流通溝の上端壁にはいずれも噴霧ノズルが固定的に設けられ、六つの前記流通溝の下側の間にはガイド穴が連通するように設けられ、前記ガイド穴の右端には液体貯蔵チャンバが連通するように設けられ、前記液体貯蔵チャンバの中には金属の表面を塗るために使う保護剤が貯蔵されており、前記保護剤は噴霧ノズルにより前記塗りチャンバに塗られて金属の表面に付着することができる。
【００１２】
優選の技術プランとして、前記吹き付け調節装置は左右対称の回転チャンバを含み、前記回転チャンバの中には連結ロッドが回転できるように設けられ、前記連結ロッドの前端には押しブロックが回転できるように連結され、前記押しブロックのうち対称中心に近接した一端が前記押し溝の中に伸びており、前記押しブロックは前記当接溝と当接でき、前記回転チャンバの後側には調節スライド溝が連通するように設けられ、前記調節スライド溝の中には調節スライドブロックがスライドできるように設けられ、前記調節スライドブロックのうち対称中心から離れた一端面には牽引紐が固定的に設けられ、前記牽引紐の外部には復帰バネがカバーするように設けられ、前記調節スライドブロックの上端には調節スライドロッドが当接するように設けられ、前記調節スライドロッドが前記固定ロッドの前記塗りチャンバに近接した側に位置し、前記調節スライド溝のうち対称中心から離れた一端壁の中には牽引チャンバが連通するように設けられ、前記牽引チャンバの中には牽引輪が回転できるように設けられ、前記牽引紐のもう一端が前記牽引輪を経由した後に前記調節スライドロッドと固定的に連結され、
前記挟み装置が金属部品をきつく挟む時に前記移動ロックブロックを連動させ、前記移動ロックブロックが互いに向かって移動することにより、前記固定ロッドが前記調節スライドロッドを押し動かし、前記調節スライドロッドが互いに向かって移動し、前記牽引紐により前記調節スライドブロックが駆動されて互いに背向けて移動し、これにより前記押しブロックが互いに向かって移動し、前記押しブロックと前記密封スライドブロックとが当接して対称中心に移動する時、押された前記密封スライドブロックが前に移動し前記流通溝を密封し、前記流通溝の中の前記噴霧ノズルが保護剤を塗ることを阻止し、これにより金属部品の長さにより前記噴霧ノズルの塗る量をコントロールでき、保護剤の浪費を減少する。
【発明の効果】
【００１３】
本発明は挟み装置により金属部品を塗りチャンバの中にきつく挟み、金属部品が降下し回転することにより、保護剤を金属の表面に塗り、操作は自動化程度が高くて便利であり、塗り終わった後自動的に乾燥でき、保護剤を塗る効率を高め、また、塗る過程は閉鎖した装置内に行われるため、装置外の環境の清潔を保ち、さらに、吹き付け装置は金属部品のサイズにより調節でき、保護剤の利用率を高める。
【図面の簡単な説明】
【００１４】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の金属部品表面保護用塗り装置の全体構成略図
【図２】図２は図１のＡ―Ａ方向の構成略図
【図３】図３は図１のＢの拡大構成略図
【図４】図４は図３のＣ―Ｃ方向の構成略図
【図５】図５は図４のＤ―Ｄ方向の構成略図
【図６】図６は図３のＥの拡大構成略図
【図７】図７は図１のＦ―Ｆ方向の構成略図
【図８】図８は図１のＧ―Ｇ方向の構成略図
【発明を実施するための形態】
【００１６】
本発明の金属部品表面保護用塗り装置は、主に金属部品表面に保護剤を塗る作業に適用され、以下に付図を合わせて本発明について詳しく説明する：
【００１７】
本発明の前記金属部品表面保護用塗り装置は、本体１０を含み、前記本体１０の中には塗りチャンバ１１が設けられ、前記塗りチャンバ１１の前側には置き口７９が外部と連通するように設けられ、前記置き口７９の中には閉鎖回転軸８０が回転できるように設けられ、前記閉鎖回転軸８０には閉鎖ドア板８１が固定的に設けられ、前記閉鎖ドア板８１は前記塗りチャンバ１１を閉鎖でき、前記塗りチャンバ１１の上側には引っ張りチャンバ１２が連通するように設けられ、前記引っ張りチャンバ１２の中には昇降装置６０１がスライドできるように設けられ、前記塗りチャンバ１１の中には左右対称の挟み装置６０２が設けられ、前記挟み装置６０２が前記昇降装置６０１と回転できるように連結され、金属部品を前記挟み装置６０２の間に置き、昇降装置６０１の上昇により金属部品を前記挟み装置６０２の間にきつく挟むことができ、前記塗りチャンバ１１の左右側には連通チャンバ３５が対称的に設けられ、前記連通チャンバ３５の中には回転親ねじ３８が回転できるように設けられ、前記回転親ねじ３８の下端が前記昇降装置６０１と伝動できるように連結され、前記回転親ねじ３８には移動ブロック３６がねじ山によって連結され、前記移動ブロック３６の中には挟みロック装置６０３が設けられ、前記連通チャンバ３５のうち前記塗りチャンバ１１から離れた端壁にはラック４３が固定的に設けられ、前記ラック４３が前記挟みロック装置６０３と噛合しているため、前記移動ブロック３６が昇降することにより前記挟みロック装置６０３を回転連動させ、前記挟み装置６０２に前記挟み装置６０２にある金属部品を回転連動させることができ、前記塗りチャンバ１１の下側には吹き付け装置６０４が設けられ、前記吹き付け装置６０４の後側には吹き付け調節装置６０５が設けられ、金属部品が降下し回転し、前記吹き付け装置６０４により保護剤を金属部品の表面に塗る。
【００１８】
有益に、前記昇降装置６０１はスライドブロック１３を含み、前記スライドブロック１３の中にはスライドチャンバ１４が設けられ、前記スライドチャンバ１４の中には引っ張りブロック１５がスライドできるように設けられ、前記引っ張りブロック１５の前後端には前記引っ張りブロック１５を復帰させることができる復帰部品１６が固定的に設けられ、前記引っ張りブロック１５の下端面には左右対称の回転ロッド２６が回転できるように設けられ、前記回転ロッド２６のもう一端が前記挟み装置６０２とヒンジによって連結され、前記引っ張りブロック１５の上端面の中には押し引き溝１７が設けられ、前記引っ張りチャンバ１２と前記塗りチャンバ１１の後側には昇降チャンバ１８が連通するように設けられ、前記昇降チャンバ１８の中には昇降親ねじ２０が回転できるように設けられ、前記昇降親ねじ２０にはネジ山ブロック１９がねじ山によって連結され、前記ネジ山ブロック１９の前端が前記スライドブロック１３と固定的に連結され、前記昇降チャンバ１８の下側には伝動チャンバ２１が連通するように設けられ、前記伝動チャンバ２１の下端壁には回転モーター２３が取り付けられ、前記昇降親ねじ２０の下端が前記回転モーター２３に伝動できるように連結され、前記伝動チャンバ２１と前記連通チャンバ３５とが連通しており、左右の前記回転親ねじ３８の下端と前記伝動チャンバ２１の下端壁とが回転できるように連結され、前記伝動チャンバ２１の中にある前記昇降親ねじ２０と前記回転親ねじ３８とにはいずれもプーリー２４が固定的に設けられ、前記伝動チャンバ２１のうち前記プーリー２４の前側に位置するところにはテンションプーリー２５が回転できるように設けられ、前記テンションプーリー２５と前記プーリー２４とが伝動ベルト２２により伝動できるように連結され、
前記昇降装置６０１が作動し前記引っ張りブロック１５を昇降連動させ、前記回転ロッド２６により前記挟み装置６０２が互いに向かって移動し、金属部品を前記挟み装置６０２の間にきつく挟み、前記挟み装置６０２が金属部品を昇降連動させる時、前記伝動ベルト２２により前記移動ブロック３６を同期に昇降連動させ、これにより前記挟み装置６０２に金属部品を回転連動させ、保護剤を塗ることに便利である。
【００１９】
有益に、前記挟み装置６０２は環状ブロック２７を含み、前記環状ブロック２７の上端が前記回転ロッド２６とヒンジによって連結され、前記環状ブロック２７の中には挟み回転ブロック２８が回転できるように設けられ、前記挟み回転ブロック２８の中には伸縮チャンバ２９が設けられ、前記伸縮チャンバ２９の中には挟み板３０がスライドできるように設けられ、前記挟み板３０と前記伸縮チャンバ２９との間には伸縮バネ３２が固定的に設けられ、前記挟み板３０のうち前記伸縮バネ３２から離れた一端には滑り止めマット３１が固定的に設けられ、
前記回転ロッド２６が上昇し前記塗りチャンバ１１の上端壁に止められ、これにより前記環状ブロック２７が互いに向かって移動し金属部品をきつく挟む。
【００２０】
有益に、前記挟みロック装置６０３は移動チャンバ４４を含み、前記移動チャンバ４４の中には移動ロックブロック３７がスライドできるように設けられ、前記移動ロックブロック３７の中にはスプラインスリーブ３３が回転できるように設けられ、前記スプラインスリーブ３３のうち前記塗りチャンバ１１に近接した一端が前記環状ブロック２７と固定的に連結され、前記スプラインスリーブ３３の中にはスプライン軸３４がスプラインにより連結され、前記移動チャンバ４４のうち前記塗りチャンバ１１から離れた側には噛合チャンバ３９が連通するように設けられ、前記スプライン軸３４のうち対称中心から離れた一端が前記噛合チャンバ３９の中に伸びており、且つ前記スプライン軸３４のうち対称中心から離れた一端には第一傘歯車４０が固定的に設けられ、前記第一傘歯車４０の後端には第二傘歯車４１が噛合するように連結され、前記第二傘歯車４１の後端面には噛合歯車４２が固定的に設けられ、前記噛合歯車４２と前記ラック４３とが噛合するように連結され、前記移動チャンバ４４の後側にはガイドスライド溝６０が連通するように設けられ、前記ガイドスライド溝６０の中には前記移動ロックブロック３７の後端面と固定的に連結された固定ロッド６１がスライドできるように設けられ、前記固定ロッド６１の後端が前記連通チャンバ３５の中に伸びており、前記移動チャンバ４４の上側には二つのロック回転溝４５が設けられ、前記ロック回転溝４５の中には回転ロックブロック４６が設けられ、前記回転ロックブロック４６の上端と前記ロック回転溝４５との間にはトーションバネ４７が固定的に設けられ、前記ロック回転溝４５の上側には動力提供装置６０６が設けられ、前記動力提供装置６０６と前記回転ロックブロック４６とが連結され、前記動力提供装置６０６は前記回転ロックブロック４６の回転をコントロールできる。
【００２１】
有益に、前記移動ロックブロック３７の上端面が歯形構成であり、かつ前記歯形構成が前記回転ロックブロック４６と係合しているため、前記移動ロックブロック３７が前記塗りチャンバ１１の方向へ移動でき、前記回転ロックブロック４６により前記移動ロックブロック３７は逆方向へ移動することができなく、前記挟み装置６０２の挟み安定性を高める。
【００２２】
有益に、前記動力提供装置６０６は前記移動ブロック３６にある左右対称のリールチャンバ４９を含み、前記リールチャンバ４９の中にはリール５０が回転できるように設けられ、前記リール５０のうち互いに近接した側には方向変換チャンバ５１が連通するように設けられ、前記方向変換チャンバ５１の中には方向変換輪５２が回転できるように設けられ、前記方向変換輪５２の間には巻きチャンバ５３が設けられ、前記巻きチャンバ５３の中には巻き回転軸５４が回転可能に設けられ、前記巻き回転軸５４には巻き輪５５が固定的に設けられ、前記巻き輪５５には二本の巻き糸４８が固定的に巻き付いており、前記巻き糸４８がそれぞれ前後側の前記方向変換輪５２と前記リール５０とを経由した後に、前記ロック回転溝４５の中に伸びており、かつ前記巻き糸４８が前記回転ロックブロック４６と固定的に連結され、前記連通チャンバ３５の上側にはベルトチャンバ５７が連通するように設けられ、前記ベルトチャンバ５７の中にはベルト回転軸５６が回転できるように設けられ、前記ベルト回転軸５６の下端が前記巻き回転軸５４とスプラインにより連結され、左側の前記ベルトチャンバ５７の上端壁には動力モーター５９が固定的に設けられ、左側の前記ベルト回転軸５６の上端が前記動力モーター５９に伝動できるように連結され、前記ベルト回転軸５６の前側には回転輪８２が設けられ、前記回転輪８２と前記ベルト回転軸５６とが連結ベルト５８により伝動できるように連結され、前記回転輪８２の下端面には第三傘歯車８３が固定的に設けられ、前記第三傘歯車８３のうち前記塗りチャンバ１１に近接した一端には第四傘歯車８４が噛合するように連結され、左右側の前記第四傘歯車８４が連結軸８５により固定的に連結され、前記動力モーター５９が作動し左右側の前記巻き輪５５を回転連動させることができ、前記巻き糸４８により前記回転ロックブロック４６を前記ロック回転溝４５の中に回転させ、この時、前記移動ロックブロック３７が自在に移動し、前記挟み装置６０２へのロックを解除できる。
【００２３】
有益に、前記吹き付け装置６０４は左右対称の押し溝７０を含み、前記押し溝７０の前側には三つの流通溝７１が設けられ、前記押し溝７０と前記流通溝７１との間にはそれぞれ密封スライド溝７２が連通するように設けられ、前記密封スライド溝７２の中には密封スライドブロック７３がスライドできるように設けられ、前記密封スライドブロック７３の後端と前記密封スライド溝７２との間には圧力バネ７４が固定的に設けられ、前記密封スライドブロック７３の中には当接溝７５が設けられ、前記流通溝７１の上側と前記塗りチャンバ１１とが連通しており、前記流通溝７１の上端壁にはいずれも噴霧ノズル７６が固定的に設けられ、六つの前記流通溝７１の下側の間にはガイド穴７７が連通するように設けられ、前記ガイド穴７７の右端には液体貯蔵チャンバ７８が連通するように設けられ、前記液体貯蔵チャンバ７８の中には金属の表面を塗るために使う保護剤が貯蔵されており、前記保護剤は噴霧ノズル７６により前記塗りチャンバ１１に塗られて金属の表面に付着することができる。
【００２４】
有益に、前記吹き付け調節装置６０５は左右対称の回転チャンバ６７を含み、前記回転チャンバ６７の中には連結ロッド６９が回転できるように設けられ、前記連結ロッド６９の前端には押しブロック６８が回転できるように連結され、前記押しブロック６８のうち対称中心に近接した一端が前記押し溝７０の中に伸びており、前記押しブロック６８は前記当接溝７５と当接でき、前記回転チャンバ６７の後側には調節スライド溝６２が連通するように設けられ、前記調節スライド溝６２の中には調節スライドブロック９０がスライドできるように設けられ、前記調節スライドブロック９０のうち対称中心から離れた一端面には牽引紐６４が固定的に設けられ、前記牽引紐６４の外部には復帰バネ９１がカバーするように設けられ、前記調節スライドブロック９０の上端には調節スライドロッド６３が当接するように設けられ、前記調節スライドロッド６３が前記固定ロッド６１の前記塗りチャンバ１１に近接した側に位置し、前記調節スライド溝６２のうち対称中心から離れた一端壁の中には牽引チャンバ６５が連通するように設けられ、前記牽引チャンバ６５の中には牽引輪６６が回転できるように設けられ、前記牽引紐６４のもう一端が前記牽引輪６６を経由した後に前記調節スライドロッド６３と固定的に連結され、前記挟み装置６０２が金属部品をきつく挟む時に前記移動ロックブロック３７を連動させ、前記移動ロックブロック３７が互いに向かって移動することにより、前記固定ロッド６１が前記調節スライドロッド６３を押し動かし、前記調節スライドロッド６３が互いに向かって移動し、前記牽引紐６４により前記調節スライドブロック９０が駆動されて互いに背向けて移動し、これにより前記押しブロック６８が互いに向かって移動し、前記押しブロック６８と前記密封スライドブロック７３とが当接して対称中心に移動する時、押された前記密封スライドブロック７３が前に移動し前記流通溝７１を密封し、前記流通溝７１の中の前記噴霧ノズル７６が保護剤を塗ることを阻止し、これにより金属部品の長さにより前記噴霧ノズルの塗る量をコントロールでき、保護剤の浪費を減少する。
【００２５】
以下に図１〜８を合わせて本願発明の金属部品表面保護用塗り装置の使用手順について詳しく説明する：
使用時に、閉鎖ドア板８１を回転させて塗りチャンバ１１を開け、手動で金属部品を挟み回転ブロック２８の間に置き、押し引き溝１７により引っ張りブロック１５を上方へ引き、塗りチャンバ１１の上端壁の止め作用により、回転ロッド２６が回転することにより、左右の挟み回転ブロック２８が互いに向かって移動し金属部品をきつく挟み、この時回転ロックブロック４６が移動ロックブロック３７を固定することにより、移動ロックブロック３７が逆方向へ移動することができなくなり、金属部品を放して逆方向へ閉鎖ドア板８１を回転させ、塗りチャンバ１１を閉め、移動ロックブロック３７が移動する過程に、固定ロッド６１が駆動されて互いに向かって移動することにより、調節スライドロッド６３が固定ロッド６１に押されて互いに向かって移動し、牽引紐６４により調節スライドブロック９０が駆動されて互いに背向けて移動し、これにより押しブロック６８が互いに向かって移動し、押しブロック６８と密封スライドブロック７３とが当接して対称中心に移動する時、押された密封スライドブロック７３が前に移動し流通溝７１を密封し、流通溝７１の中の噴霧ノズル７６が保護剤を塗ることを阻止し、これにより金属部品の長さにより噴霧ノズルの塗る量をコントロールでき、保護剤の浪費を減少し、そして、回転モーター２３が作動し昇降親ねじ２０を回転連動させることにより、ネジ山ブロック１９がスライドブロック１３を降下連動させ、回転モーター２３が作動する時、伝動ベルト２２により回転親ねじ３８を回転させることで、移動ブロック３６が降下し、これにより金属部品を降下連動させ、移動ブロック３６が降下する時、噛合歯車４２がラック４３により回転することにより、スプラインスリーブ３３が挟み回転ブロック２８を回転連動させ、これにより金属部品を回転させ、これにより噴霧ノズル７６が保護剤を均一に金属部品の表面に塗り、塗り終わった時、回転モーター２３が逆方向へ回転することにより、ネジ山ブロック１９にスライドブロック１３を上昇連動させ、移動ブロック３６が初期位置に上昇し、この過程に、噛合歯車４２が逆方向へ回転することにより、挟み回転ブロック２８に金属部品を逆方向へ回転連動させ、風力による乾燥過程を完成し、この時、巻き回転軸５４とベルト回転軸５６とがスプラインにより連結され、動力モーター５９が作動し巻き輪５５を回転させ、巻き糸４８により回転ロックブロック４６をロック回転溝４５の中に回転させ、これにより移動ロックブロック３７が自在に移動でき、左右の挟み回転ブロック２８を押すこれにより、左右の挟み回転ブロック２８が互いに背向けて移動し、これにより金属部品を取り外すことができ、この時装置全体が初期状態に戻り、次の塗り作業を準備する。
【００２６】
本発明の有益効果は：本発明は挟み装置により金属部品を塗りチャンバの中にきつく挟み、金属部品が降下し回転することにより、保護剤を金属の表面に塗り、操作は自動化程度が高くて便利であり、塗り終わった後自動的に乾燥でき、保護剤を塗る効率を高め、また、塗る過程は閉鎖した装置内に行われるため、装置外の環境の清潔を保ち、さらに、吹き付け装置は金属部品のサイズにより調節でき、保護剤の利用率を高める。
【００２７】
以上の方式により、本分野の当業者は本発明の範囲内に作動モードにより各種な変化を加えることができる。
【要約】
【課題】本発明は金属部品表面保護用塗り装置を開示した。
【解決手段】
本発明の金属部品表面保護用塗り装置は、本体を含み、前記本体の中には塗りチャンバが設けられ、前記塗りチャンバの前側には置き口が外部と連通するように設けられ、前記置き口の中には閉鎖回転軸が回転できるように設けられ、前記閉鎖回転軸には閉鎖ドア板が固定的に設けられ、前記閉鎖ドア板は前記塗りチャンバを閉鎖でき、前記塗りチャンバの上側には引っ張りチャンバが連通するように設けられ、前記引っ張りチャンバの中には昇降装置がスライドできるように設けられ、前記塗りチャンバの中には左右対称の挟み装置が設けられ、前記挟み装置が前記昇降装置と回転できるように連結されている。
【選択図】図１【図１】
0006806972.tif 000002
【図２】
0006806972.tif 000003
【図３】
0006806972.tif 000004
【図４】
0006806972.tif 000005
【図５】
0006806972.tif 000006
【図６】
0006806972.tif 000007
【図７】
0006806972.tif 000008
【図８】
0006806972.tif 000009